(57)【特許請求の範囲】
【請求項１】
前胴周り域と、後胴周り域と、前記前胴周り域と前記後胴周り域との間に位置する股下域とを有し、
前記前胴周り域から前記後胴周り域に向かう長手方向と、前記長手方向と直交する幅方向とを有し、
前記後胴周り域において前記幅方向に沿って延び、前記前胴周り域に止着される一対のファスニングテープと、
前記股下域を跨ぎ前記前胴周り域及び前記後胴周り域の少なくとも一方に向かって延びる吸収体と、
前記一対のファスニングテープ間に配置され、前記幅方向に伸縮する腰周り伸縮部とを有する使い捨ておむつであって、
前記使い捨ておむつの平面視において、前記一対のファスニングテープの前記長手方向の中心線は、前記腰周り伸縮部と重なり、前記吸収体と重ならないように構成されており、
前記腰周り伸縮部の前記幅方向の長さは、前記吸収体の前記幅方向の長さよりも長くなるように構成されており、
前記腰周り伸縮部において前記吸収体よりも前記幅方向の外側に位置する領域の伸長率は、前記腰周り伸縮部において前記吸収体よりも前記幅方向の内側に位置する領域の伸長率と異なるように構成されており、
前記使い捨ておむつの平面視において、前記腰周り伸縮部及び前記吸収体は重なるように構成されており、
前記腰周り伸縮部と重なっている領域における前記吸収体の厚さは、他の領域における前記吸収体の厚さよりも薄くなるように構成されていることを特徴とする使い捨ておむつ。
【請求項２】
前記腰周り伸縮部において前記吸収体よりも前記幅方向の外側に位置する領域の伸長率は、前記腰周り伸縮部において前記吸収体よりも前記幅方向の内側に位置する領域の伸長率よりも大きくなるように構成されていることを特徴とする請求項１に記載の使い捨ておむつ。
【請求項３】
一対のレッグ開口部と、
前記一対のレッグ開口部よりも前記幅方向の内側に配置され、前記長手方向に伸縮可能な一対のレッグ伸縮部とを有しており、
前記使い捨ておむつの平面視において、前記腰周り伸縮部及び前記一対のレッグ伸縮部は重ならないように構成されていることを特徴とする請求項１又は２に記載の使い捨ておむつ。
【請求項４】
前記一対のレッグ伸縮部の幅方向の内側に前記長手方向に沿って延びる一対のレッグサイド伸縮部を有しており、
前記使い捨ておむつの平面視において、前記腰周り伸縮部及び前記一対のレッグサイド伸縮部は重なるように構成されていることを特徴とする請求項３に記載の使い捨ておむつ。
【請求項５】
前記吸収体よりも前記幅方向の外側に延びるサイドフラップを有しており、
前記一対のファスニングテープの各々は、前記サイドフラップに連結された基材シートと、係合フックが設けられており前記基材シートに固定されたフックシートとを備えており、
前記吸収体は、前記フックシートの前記長手方向の内側の端部よりも前記長手方向の内側に配置されていることを特徴とする請求項１乃至４のいずれか一項に記載の使い捨ておむつ。
【請求項６】
前記吸収体よりも前記幅方向の外側に延びるサイドフラップを有しており、
前記一対のファスニングテープの各々は、前記サイドフラップに連結された基材シートと、係合フックが設けられており前記基材シートに固定されたフックシートとを備えており、
前記腰周り伸縮部の前記長手方向の内側の端部は、前記フックシートの前記長手方向の内側の端部よりも前記長手方向の内側に配置されており、
前記腰周り伸縮部の前記長手方向の外側の端部は、前記フックシートの前記長手方向の外側の端部よりも前記長手方向の外側に配置されていることを特徴とする請求項１乃至５のいずれか一項に記載の使い捨ておむつ。
【請求項７】
前記一対のレッグ伸縮部は、前記後胴周り域に向かうに連れて前記幅方向の外側に広がるように構成されていることを特徴とする請求項３に記載の使い捨ておむつ。
【請求項８】
前記腰周り伸縮部は、
前記腰周り伸縮部の両外側縁から前記幅方向の内側に向かって延びる第１領域と、
前記第１領域の内側縁から前記幅方向の内側に向かって延び、前記第１領域よりも低い伸長率を有する第２領域と、
前記第２領域の内側縁から前記幅方向の内側に向かって延び、前記第２領域よりも高い伸長率を有する第３領域とを有し、
前記第１領域の少なくとも一部は、前記吸収体の前記幅方向の外側に位置するように構成されている請求項１乃至７のいずれか一項に記載の使い捨ておむつ。
【発明の詳細な説明】
【技術分野】
【０００１】
本発明は、使い捨ておむつに関する。
【背景技術】
【０００２】
従来、テープタイプの使い捨ておむつにおいて、着用者の腰周りのフィット性を良好に維持するために、着用者の腰周りにおいて幅方向に伸縮する胴周り伸縮部を設ける技術が知られている。
【先行技術文献】
【特許文献】
【０００３】
【特許文献１】特開平１０-２２５４８１号公報
【発明の概要】
【発明が解決しようとする課題】
【０００４】
しかし、上述の従来の使い捨ておむつでは、吸収体の剛性により、腰周り伸縮部の伸縮が阻害されるため、着用者の腰周りに対して使い捨ておむつをしっかりとフィットさせることができずに、着用者の背中からの排泄物の漏れを誘発してしまうという問題点があった。
【０００５】
そこで、本発明は、上述の課題に鑑みてなされたものであり、着用者の腰周りのフィット性を高めることができるテープタイプの使い捨ておむつを提供することを目的とする。
【課題を解決するための手段】
【０００６】
本発明の第１の特徴は、前胴周り域と、後胴周り域と、前記前胴周り域と前記後胴周り域との間に位置する股下域とを有し、前記前胴周り域から前記後胴周り域に向かう長手方向と、前記長手方向と直交する幅方向とを有し、前記後胴周り域において前記幅方向に沿って延び、前記前胴周り域に止着される一対のファスニングテープと、前記股下域を跨ぎ前記前胴周り域及び前記後胴周り域の少なくとも一方に向かって延びる吸収体と、前記一対のファスニングテープ間に配置され、前記幅方向に伸縮する腰周り伸縮部とを有する使い捨ておむつであって、前記使い捨ておむつの平面視において、前記一対のファスニングテープの前記長手方向の中心線は、前記腰周り伸縮部と重なり、前記吸収体と重ならないように構成されており、前記腰周り伸縮部の前記幅方向の長さは、前記吸収体の前記幅方向の長さよりも長くなるように構成されており、前記腰周り伸縮部において前記吸収体よりも前記幅方向の外側に位置する領域の伸長率は、前記腰周り伸縮部において前記吸収体よりも前記幅方向の内側に位置する領域の伸長率と異なるように構成されていることを要旨とする。
【発明の効果】
【０００７】
本発明によれば、着用者の腰周りのフィット性を高めることができるテープタイプの使い捨ておむつを提供することができる。
【図面の簡単な説明】
【０００８】
【図１】本実施形態に係る使い捨ておむつの展開平面図である。
【図２】図１に示したＦ１-Ｆ１線に沿った使い捨ておむつの断面図である。
【図３】図１に示したＦ２-Ｆ２線に沿った使い捨ておむつの断面図である。
【図４】本実施形態に係る使い捨ておむつの着用者への装着態様を模式的に示す図である。図４（ａ）は、ファスニングテープを前胴周り域に止着しかつ着用者が寝ている状態であり、図４（ｂ）は、ファスニングテープを前胴周り域に止着しかつ着用者が起きている状態である。
【発明を実施するための形態】
【０００９】
次に、本発明に係る使い捨ておむつ１０の実施形態について、図面を参照しながら説明する。なお、以下の図面の記載において、同一または類似の部分には、同一または類似の符号を付している。ただし、図面は模式的なものであり、各寸法の比率などは現実のものとは異なることに留意すべきである。
【００１０】
したがって、具体的な寸法などは以下の説明を参酌して判断すべきである。また、図面相互間においても互いの寸法の関係や比率が異なる部分が含まれ得る。
【００１１】
（１）使い捨ておむつの全体概略構成
図１は、本実施形態に係る使い捨ておむつ１０の展開平面図である。図２は、図１に示したＦ１-Ｆ１線に沿った使い捨ておむつの断面図である。図３は、図１に示したＦ２-Ｆ２線に沿った使い捨ておむつの断面図である。図１に示す展開図は、使い捨ておむつを構成するトップシート５０、サイドフラップ７０等の皺が形成されない状態まで、レッグ伸縮部７５及びレッグサイド伸縮部８０の弾性部材を伸長させた状態の図である。
【００１２】
図１に示すように、使い捨ておむつ１０は、前胴周り域２０と、股下域２５と、後胴周り域３０とを有する。前胴周り域２０は、着用者の前胴周り部（腹部分）と接する部分である。また、後胴周り域３０は、着用者の後胴周り部（背中）と接する部分である。股下域２５は、前胴周り域２０と後胴周り域３０との間に位置する。
【００１３】
また、使い捨ておむつ１０には、一対のレッグ開口部３５が形成される。レッグ開口部３５は、使い捨ておむつ１０の外側縁（幅方向Ｗにおける外側端）に設けられており、使い捨ておむつ１０が着用者に着用された状態で、着用者の脚周りに沿って配置される部分である。
【００１４】
なお、本実施形態では、使い捨ておむつ１０において、前胴周り域２０から後胴周り域３０に向かう方向を長手方向Ｌと呼び、長手方向Ｌと直交する方向を幅方向Ｗと呼ぶ。
【００１５】
使い捨ておむつ１０は、吸収体４０を有する。吸収体４０は、吸収コア４０ａとコアラップ４０ｂとを有する。吸収コア４０ａは、股下域２５を跨ぎかつ股下域２５から前胴周り域２０及び後胴周り域３０のうち少なくともいずれか一方に向かって延びる。
【００１６】
吸収コア４０ａは、従来の使い捨ておむつと同様であり、粉砕パルプや高吸収ポリマー等の公知の部材や材料を用いて適宜構成することができる。吸収コア４０ａは、シート状のコアラップ４０ｂによって包まれている。コアラップ４０ｂは、吸収コア４０ａを被覆するシートである。吸収コア４０ａの後端縁とコアラップ４０ｂの後端縁は、略一致する。より詳細には、吸収コア４０ａの後端縁とコアラップ４０ｂの後端縁との距離は、５ｍｍ以下である。
【００１７】
吸収コア４０ａには、吸収コア４０ａの他の部位よりも吸収材料の目付けが低い低目付領域１１０が形成されている。低目付領域１１０は、吸収コア４０ａの後端縁の幅方向Ｗの中央に位置する。幅方向Ｗにおける低目付領域１１０の幅は、吸収コア４０ａの後端縁に向かうに連れて広くなっている。より具体的には、低目付領域１１０は、使い捨ておむつ１０の平面視においてくさび状である。
【００１８】
図２及び図３に示すように、吸収体４０の表面側（肌対向面側）には、液透過性のトップシート５０が備えられる。また、吸収体４０の裏面側（非肌対向面側）には、液不透過性のバックシート６０ａが備えられる。バックシート６０ａの裏面側には、外装シート６０が備えられる。
【００１９】
図１及び図２に示すように、吸収体４０の外側縁には、サイドフラップ７０がそれぞれ備えられる。サイドフラップ７０は、前胴周り域２０、股下域２５及び後胴周り域３０を跨ぎ、かつ、吸収体４０よりも幅方向Ｗの外側に配置される。
【００２０】
サイドフラップ７０は、１枚又は２枚以上の複数枚重ねた不織布によって構成されている。図２に示すように、サイドフラップ７０は、吸収コア４０ａよりも肌対向面側に位置し、吸収コア４０ａよりも幅方向Ｗの外側に延びる。
【００２１】
図２に示すように、サイドフラップ７０の内側縁（幅方向Ｗの内側端）は、吸収コア４０ａを覆い、サイドフラップ７０の外側縁は、吸収コア４０ａよりも幅方向Ｗの外側に配置される。
【００２２】
図１に示すように、サイドフラップ７０には、レッグ開口部３５よりも幅方向Ｗの内側に配置され、長手方向Ｌに伸縮可能な一対のレッグ伸縮部７５が備えられる。レッグ伸縮部７５は、レッグ開口部３５を長手方向Ｌに伸縮できるように構成されていればよく、レッグ開口部３５に沿って配置されていてもよいし、一部がレッグ開口部３５に対して傾斜した状態で配置されていてもよい。
【００２３】
ここで、図１に示すように、一対のレッグ伸縮部７５は、後胴周り域３０に向かうに連れて幅方向Ｗの外側に広がるように構成されていてもよい。
【００２４】
また、図１に示すように、一対のレッグ伸縮部７５の幅方向Ｗの内側には、長手方向Ｌに沿って延びる一対のレッグサイド伸縮部８０が備えられる。レッグサイド伸縮部８０は、サイドフラップ７０の幅方向Ｗの内側端部に設けられており、起立性の伸縮ギャザーである。
【００２５】
また、使い捨ておむつ１０は、股下域２５における吸収体４０に重なる領域に配置されたクロッチ伸縮部２００を備えている。クロッチ伸縮部２００は、吸収体４０の他の部分よりも、使い捨ておむつ１０の着用時において股下域２５の一部に平坦な形状を維持できるように構成されている。クロッチ伸縮部２００は、少なくとも長手方向Ｌ又は幅方向Ｗに伸縮可能に構成されている。
【００２６】
図１に示すように、股下域の吸収コア４０ａには、第１切欠き１１５及び第２切欠き１２５が形成される。第１切欠き１１５及び第２切欠き１２５は、吸収体４０に形成されたスリットである。スリットとは、吸収材料が存在しない部分である。第１切欠き１１５及び第２切欠き１２５は、それぞれ吸収コア４０ａの外側縁から幅方向Ｗの内側に向かって延びる切欠き形状である。
【００２７】
なお、使い捨ておむつ１０は、クロッチ伸縮部２００、第１切欠き１１５及び第２切欠き１２５を有していなくてもよい。
【００２８】
ファスニングテープ９０は、一対であって、後胴周り域３０において、幅方向Ｗに沿って延び、前胴周り域２０の非肌対向面に止着されることにより、使い捨ておむつ１０を着用者の身体に保持するように構成されている。
【００２９】
ファスニングテープ９０は、後胴周り域３０に対応するサイドフラップ７０の領域に取り付けられている。ファスニングテープ９０の各々は、サイドフラップ７０に連結された基材シート９１と、複数の係合部材としての係合フック（図示せず）が設けられ基材シート９１に固定されたフックシート９２とを備える。フックシート９２は、係合部材が設けられた領域である。
【００３０】
ここで、図１に示すように、吸収体４０（或いは、吸収コア４０ａ）は、フックシート９２の長手方向Ｌの内側の端部９２Ｅ１よりも長手方向Ｌの内側に配置されていてもよい。
【００３１】
ターゲット部９５は、前胴周り域２０における外装シート６０の非肌対向側の面に設けられている。ターゲット部９５は、ファスニングテープ９０の係合フックが引っ掛かるように構成されており、フックとループの係止システムのループとして機能する。
【００３２】
ターゲット部９５としては、例えば、エアースルー不織布を用いることができる。なお、使い捨ておむつ１０は、ターゲット部９５を有さずに、ファスニングテープ９０が前胴周り域２０における外装シート６０に止着するように構成されていてもよい。
【００３３】
また、図１及び図２に示すように、幅方向Ｗにおける一対のファスニングテープ９０間には、幅方向Ｗに伸縮可能な腰周り伸縮部８５が設けられている。腰周り伸縮部８５は、ファスニングテープ９０間を幅方向Ｗに収縮するように構成されている。
【００３４】
本実施形態において、腰周り伸縮部８５は、伸縮性シートによって構成されている。なお、腰周り伸縮部８５は、実質的に幅方向Ｗに伸縮する部分であり、伸縮力が発揮されない状態で伸縮性シートが配置された部分を除く概念である。よって、後述する腰周り伸縮部８５の外側縁は、伸縮性シートの外側縁ではなく、伸縮する部分の外側縁である。
【００３５】
本実施形態に係る使い捨ておむつ１０では、腰周り伸縮部８５として、目付けが２０〜４５ｇ/ｍ２の伸縮性フィルムを用いた。ただし、腰周り伸縮部８５は、複数本の糸ゴム等の他の構成によって構成されていてもよい。腰周り伸縮部８５は、非伸長状態（自然状態）における長さに対する所定倍率に引き延ばされた後、ホットメルト接着剤又は加熱処理等によって外装シート６０に接着される。
【００３６】
腰周り伸縮部８５は、使い捨ておむつ１０の幅方向Ｗの中心から幅方向Ｗの両外側に向かって延びており、幅方向Ｗに延びる連続したシートによって構成されている。腰周り伸縮部８５の後端縁（長手方向Ｌの外側の端部）８５Ｅ２は、使い捨ておむつ１０の後端縁１０Ｅ２よりも前側に位置する。なお、腰周り伸縮部８５の後端縁８５Ｅ２は、使い捨ておむつ１０の後端縁１０Ｅ２に一致していてもよい。
【００３７】
また、腰周り伸縮部８５の前端縁８５Ｅ１は、吸収体４０（或いは、吸収コア４０ａ及びコアラップ４０ｂ）の後端縁４０Ｅ２よりも前側、かつ、レッグ伸縮部７５の後端縁７５Ｅ２よりも後側に位置する。よって、使い捨ておむつ１０の平面視において、腰周り伸縮部８５の少なくとも一部は、吸収体４０（或いは、吸収コア４０ａ）に重なるように構成されている。
【００３８】
ここで、腰周り伸縮部８５と重なっている領域における吸収体４０の厚さは、他の領域における吸収体４０の厚さよりも薄くなるように構成されていてもよい。
【００３９】
また、腰周り伸縮部８５は、吸収体４０（或いは、吸収コア４０ａ及びコアラップ４０ｂ）の後端縁を跨ぎ、吸収体４０（或いは、吸収コア４０ａ及びコアラップ４０ｂ）の後端縁よりも後側に延出するように構成されている。
【００４０】
腰周り伸縮部８５の外側縁８５ＷＯは、ファスニングテープ９０の内側縁（幅方向Ｗの内側端）よりも幅方向Ｗの内側に位置する。腰周り伸縮部８５とファスニングテープ９０とは、幅方向Ｗにおいて離間している。
【００４１】
図１に示すように、腰周り伸縮部８５は、腰周り伸縮部８５の両外側縁８５ＷＯから幅方向Ｗの内側に向かって延びる第１領域８５１と、第１領域８５１の内側縁８５１ＷＩから幅方向Ｗの内側に向かって延びる第２領域８５２と、第２領域８５２の内側縁８５２ＷＩから幅方向Ｗの内側に向かって延びる第３領域８５３とを有する。
【００４２】
第１領域８５１、第２領域８５２及び第３領域８５３は、幅方向Ｗにおいて連なっている。よって、第１領域８５１と第２領域８５２との間及び第２領域８５２と第３領域８５３との間には、幅方向Ｗに伸縮しない非伸縮領域が設けられていない。また、第１領域８５１の内側縁８５１ＷＩは、第２領域８５２の外側縁８５２ＷＯに一致し、第２領域８５２の内側縁８５２ＷＩは、第３領域８５３の外側縁８５３ＷＯに一致する。
【００４３】
第１領域８５１、第２領域８５２及び第３領域８５３は、幅方向Ｗにおける伸長率が異なるように構成されている。詳細には、第２領域８５２の幅方向Ｗの伸長率は、第１領域８５１の幅方向Ｗの伸長率よりも低い。また、第３領域８５３の幅方向Ｗの伸長率は、第２領域８５２の幅方向Ｗの伸長率よりも高い。
【００４４】
また、第１領域８５１の幅方向Ｗの伸長率と第３領域８５３の幅方向Ｗの伸長率との関係は、同じであってもよいし、いずれが高くてもよい。好適には、第３領域８５３の幅方向Ｗの伸長率が、第１領域８５１の幅方向Ｗの伸長率よりも高いことが好ましい。
【００４５】
第１領域８５１の外側縁８５１ＷＯは、吸収コア４０ａの外側縁よりも幅方向Ｗの外側に位置する。第１領域８５１の内側縁８５１ＷＩは、吸収コア４０ａの外側縁よりも幅方向Ｗの内側に位置する。よって、第１領域８５１は、吸収コア４０ａの外側縁を跨がって配置されている。
【００４６】
なお、第１領域８５１の少なくとも一部が、吸収コア４０ａの幅方向Ｗの外側に位置すればよく、第１領域８５１の内側縁が、吸収コア４０ａの外側縁よりも幅方向Ｗの外側に位置していてもよいし、第１領域８５１の内側縁が、吸収コア４０ａの外側縁に一致していてもよい。
【００４７】
第２領域８５２は、第１領域８５１と第３領域８５３との間に位置する。第２領域８５２は、吸収コア４０ａの外側縁よりも幅方向Ｗの内側に配置されていることが好ましい。第３領域８５３は、使い捨ておむつ１０の幅方向Ｗの中心を跨いで配置される。第３領域８５３は、使い捨ておむつ１０の平面視において低目付領域１１０の少なくとも一部に重なることが好ましい。
【００４８】
なお、本実施形態に係る使い捨ておむつ１０において、腰周り伸縮部８５は、使い捨ておむつ１０の幅方向Ｗの中心を通りかつ長手方向Ｌに延びる中心線に対して対称であってもよいし、非対称であってもよい。
【００４９】
例えば、左右の第１領域８５１の両方が、吸収コア４０ａの外側縁を跨がっていてもよいし、一方の第１領域８５１が、吸収コア４０ａの外側縁を跨がっていてもよい。また、左右の第２領域８５２の両方が、吸収コア４０ａの外側縁よりも幅方向Ｗの内側に配置されていてもよいし、一方の第２領域８５２が、吸収コア４０ａの外側縁よりも幅方向Ｗの内側に配置されていてもよい。
【００５０】
また、本実施形態に係る使い捨ておむつ１０は、第１領域８５１よりも幅方向Ｗの外側に、第１領域８５１の伸長率よりも低い伸長率を有する領域が設けられていてもよい。
【００５１】
図３に示すように、腰周り伸縮部８５は、吸収コア４０ａよりも非肌対向面側に位置する。本実施形態では、腰周り伸縮部８５は、外装シート６０とバックシート６０ａとの間に配置されている。
【００５２】
しかし、コアラップ４０ｂが吸収コア４０ａよりも長手方向Ｌの外側に延出する構成にあっては、腰周り伸縮部８５は、コアラップ４０ｂと、バックシート６０ａ又は外装シート６０との間に配置されていてもよい。
【００５３】
腰周り伸縮部８５の位置は、特に限定されない。また、吸収体４０が配置されない領域にあっては、図２に示すように、腰周り伸縮部８５は、サイドフラップ７０と、バックシート６０ａ又は外装シート６０との間に配置されていてもよい。
【００５４】
図１に示すように、使い捨ておむつ１０の平面視において、一対のファスニングテープ９０の長手方向Ｌの中心線Ｏは、腰周り伸縮部８５と重なり、吸収体４０と重ならないように構成されている。
【００５５】
また、腰周り伸縮部８５の幅方向Ｗの長さＷ１は、吸収体４０の幅方向Ｗの長さＷ２（或いは、吸収コア４０ａの幅方向Ｗの長さ）よりも長くなるように構成されている。
【００５６】
さらに、腰周り伸縮部８５において吸収体４０（或いは、吸収コア４０ａ）よりも幅方向Ｗの外側に位置する領域Ａの伸長率は、腰周り伸縮部８５において吸収体４０（或いは、吸収コア４０ａ）よりも幅方向Ｗの内側に位置する領域Ｂの伸長率と異なるように構成されている。
【００５７】
すなわち、図１に示すように、領域Ａは、仮想線ＶＬ１よりも、幅方向Ｗの外側に位置しており、領域Ｂは、仮想線ＶＬ１よりも、幅方向Ｗの内側に位置している。ここで、仮想線ＶＬ１は、幅方向Ｗの長さが最も長い吸収体４０の部分における吸収体４０の外側縁から長手方向Ｌに沿って使い捨ておむつ１０の後端縁１０Ｅ２にまで延ばした線である。
【００５８】
例えば、腰周り伸縮部８５において吸収体４０（或いは、吸収コア４０ａ）よりも幅方向Ｗの外側に位置する領域Ａの伸長率は、腰周り伸縮部８５において吸収体４０（或いは、吸収コア４０ａ）よりも幅方向Ｗの内側に位置する領域Ｂの伸長率よりも大きくなるように構成されていてもよいし、腰周り伸縮部８５において吸収体４０（或いは、吸収コア４０ａ）よりも幅方向Ｗの内側に位置する領域Ｂの伸長率よりも小さくなるように構成されていてもよい。
【００５９】
また、図１に示すように、使い捨ておむつ１０の平面視において、腰周り伸縮部８５及び一対のレッグ伸縮部７５は重ならないように構成されていてもよい。
【００６０】
一方、図１に示すように、使い捨ておむつ１０の平面視において、腰周り伸縮部８５及び一対のレッグサイド伸縮部８０は重なるように構成されていてもよい。
【００６１】
また、図１に示すように、腰周り伸縮部８５の長手方向Ｌの内側の端部８５Ｅ１は、フックシート９２の長手方向Ｌの内側の端部９２Ｅ１よりも長手方向Ｌの内側に配置されていてもよい。
【００６２】
さらに、図１に示すように、腰周り伸縮部８５の後端縁８５Ｅ２は、フックシート９２の長手方向Ｌの外側の端部９２Ｅ２よりも長手方向Ｌの外側に配置されていてもよい。
【００６３】
なお、本実施形態に係る使い捨ておむつ１０では、腰周り伸縮部８５は、幅方向Ｗに伸縮するように構成されているが、腰周り伸縮部８５が、幅方向Ｗ及び長手方向Ｌに伸縮するように構成されていてもよい。
【００６４】
また、腰周り伸縮部８５と吸収体４０とは、接着剤を介して接合されている。腰周り伸縮部８５と吸収体４０とを接合する接着剤は、長手方向Ｌに連続して複数列に配置されかつ各列が幅方向Ｗに重なって配置されている。
【００６５】
具体的には、接着剤は、長手方向Ｌに連続するスパイラル形状が複数列配置されており当該列が幅方向Ｗにおいて重なる構成や、幅方向Ｗに振幅しかつ長手方向Ｌに連続する波形状が複数列配置されており当該列が幅方向Ｗにおいて重なる構成等を挙げることができる。
【００６６】
なお、本実施形態に係る使い捨ておむつ１０では、腰周り伸縮部８５及び吸収コア４０ａは、直接接合されてなく、バックシート６０ａ及びコアラップ４０ｂを介して間接的に接合されている。
【００６７】
腰周り伸縮部８５とバックシート６０ａとを接着する接着剤、バックシート６０ａとコアラップ４０ｂとを接着する接着剤及びコアラップ４０ｂと吸収コア４０ａとを接着する接着剤が、長手方向Ｌに連続して複数列に配置されかつ各列が幅方向Ｗに重なって配置されていることが好ましい。
【００６８】
本明細書における「伸長率」とは、伸長の程度を意味し、以下の測定方法によって行われるものとする。
【００６９】
第１に、使い捨ておむつ１０がパッケージ等に封入されている場合には、パッケージから使い捨ておむつ10を取り出す。
【００７０】
第２に、腰周り伸縮部８５を構成する伸縮性シートの配置領域を切り出して、測定対象のサンプルを準備する。かかるサンプルを、２０℃±２℃、相対湿度６０％±５％ＲＨの雰囲気下において２４時間放置した状態を「自然状態」とする。
【００７１】
第３に、かかる自然状態にて、伸縮性シートの吸収コア４０ａ側の端部（前側端部）と伸縮性シートのウエスト開口部側の端部（後側端部）との間、すなわち、長手方向Ｌの中間位置において、幅方向Ｗに沿って間欠的に点（印）を付ける。かかる点は、伸縮性シートの幅方向Ｗの中心を基準として、かかる基準から幅方向Ｗの左右に５ｍｍ間隔にて伸縮性シートのサンプルの幅方向Ｗの端部まで点（印）を付ける。
【００７２】
第４に、隣り合う点の間の距離を測定する。かかる距離を自然状態の長さとする（５ｍｍ間隔にて印を付けているので、５ｍｍとなる）。
【００７３】
第５に、自然状態から、弾性部材による皺が伸縮性シート上に目視にて確認できない状態まで延伸したときの、先ほどの印の間の距離を測定する。
【００７４】
第６に、各部位の伸長率（倍）＝（伸長状態の印間の距離）/（自然状態の印間の距離）の式にて、伸長率を算出する。
【００７５】
（２）使い捨ておむつ１０の製造方法
次に、本実施形態に係る使い捨ておむつ１０の製造方法の一例について説明する。なお、本実施形態において説明しない方法については、既存の方法を用いることができる。また、以下に説明する製造方法は、一例であり、他の製造方法によって製造することもできる。使い捨ておむつ１０の製造方法は、構成部品形成工程と、構成部品載置工程と、脚周り形成工程と、切断工程とを少なくとも含む。
【００７６】
構成部品形成工程では、使い捨ておむつ１０を構成する構成部品を形成する。具体的には、例えば、吸収材料を積層して吸収体４０を成型したり、ファスニングテープ９０を形成したりする。
【００７７】
構成部品載置工程では、バックシート６０ａを構成するウェブ上に、腰周り伸縮部８５を構成する伸縮性シートや、トップシート５０を構成するウェブ等の他のウェブ、防漏シート、吸収体４０、レッグ伸縮部７５等の使い捨ておむつ１０を構成する構成部品を載置する。
【００７８】
なお、腰周り伸縮部８５の伸長率を変化させる方法としては、例えば、以下の方法が挙げられる。
【００７９】
腰周り伸縮部８５をバックシート６０ａ等に貼り合わせる前に、腰周り伸縮部８５を幅方向Ｗにおいてギアによって延伸する。
【００８０】
かかるギアによって延伸する際に、伸長率を低くする領域（例えば、第２領域８５２）のギア延伸を弱くする。伸長率を高くする領域（例えば、第１領域８５１や第３領域８５３）のギア延伸を強くする。ギア延伸の強弱は、ギアの凸部の深さやギアの凸部のピッチやギア延伸の回数を変更することにより、調整することができる。強く延伸された領域の伸長率は、比較的高くなり、弱く延伸された領域の伸長率は、比較的低くなる。
【００８１】
脚周り形成工程は、トップシート５０、外装シート６０及びバックシート６０ａを切断する。これにより、着用者の脚周りに配置されるレッグ開口部３５が形成される。
【００８２】
切断工程では、トップシート５０やバックシート６０ａや吸収体４０等が配置された連続体を幅方向Ｗに沿って一製品の大きさに切断する。これにより、使い捨ておむつ１０が製造される。
【００８３】
（３）作用・効果
本実施形態に係る使い捨ておむつ１０では、腰周り伸縮部８５の幅方向Ｗの長さＷ１が、吸収体４０（或いは、吸収コア４０ａ）の幅方向Ｗの長さＷ２よりも長くなるように構成されており、かつ、使い捨ておむつ１０の平面視において、ファスニングテープ９０の長手方向Lの中心線Ｏが、腰周り伸縮部８５と重なり、吸収体４０と重ならないように構成されているため、使い捨ておむつ１０の装着時に、装着補助者がファスニングテープ９０を引っ張る際に、吸収体４０の剛性により腰周り伸縮部８５の伸縮を阻害してしまうという問題を解消することができるため、着用者の腰周りに対して使い捨ておむつ１０をしっかりとフィットさせることができる。
【００８４】
図４に、使い捨ておむつ１０の着用者への装着態様を模式的に示す。図４（ａ）は、ファスニングテープ９０を前胴周り域２０に止着しかつ着用者が寝ている状態であり、図４（ｂ）は、ファスニングテープ９０を前胴周り域２０に止着しかつ着用者が起きている状態である。
【００８５】
テープタイプの使い捨ておむつ１０を着用者に装着する場合には、装着補助者は、使い捨ておむつ１０の後胴周り域３０の上に着用者の背中を載せ、ファスニングテープ９０を幅方向Ｗの外側に引っ張り、ファスニングテープ９０を前胴周り域２０に止着する。図４（ａ）に示すように、かかる場合、使い捨ておむつ１０の後胴周り域３０に、着用者の体圧がかかる。
【００８６】
かかる場合、装着補助者が、ファスニングテープ９０を幅方向Ｗの外側に引っ張った場合に生じる力が、腰周り伸縮部８５において吸収体４０（吸収コア４０ａ）よりも幅方向Ｗの内側に位置する領域Ｂに及ばないため、使い捨ておむつ１０の装着後に、着用者が起き上がった際、着用者と使い捨ておむつ１０との間に隙間が生じてしまう可能性がある。
【００８７】
ここで、本実施形態に係る使い捨ておむつ１０において、腰周り伸縮部８５において吸収体４０（或いは、吸収コア４０ａ）よりも幅方向Ｗの外側に位置する領域Ａの伸長率が、腰周り伸縮部８５において吸収体４０（吸収コア４０ａ）よりも幅方向Ｗの内側に位置する領域Ｂの伸長率よりも大きくなるように構成されているケースでは、着用者が、起き上がった場合に、領域Ｂが、領域Ｂよりも大きい伸張率を有する領域Ａによって幅方向Ｗに引っ張られて伸びるため、着用者と使い捨ておむつ１０との間に隙間が生じてしまう可能性があるという問題点を解決することができる。
【００８８】
一方、本実施形態に係る使い捨ておむつ１０において、腰周り伸縮部８５において吸収体４０（或いは、吸収コア４０ａ）よりも幅方向Ｗの外側に位置する領域Ａの伸長率が、腰周り伸縮部８５において吸収体４０（吸収コア４０ａ）よりも幅方向Ｗの内側に位置する領域Ｂの伸長率よりも小さくなるように構成されているケースでは、使い捨ておむつ１０を着用者に装着する場合に、装着補助者が、ファスニングテープ９０を弱い力で引っ張ったとしても、領域Ａの幅方向Ｗへ伸び量が大きくなるため、使い捨ておむつ１０の装着後に、着用者が、起き上がった場合に、領域Ｂが、領域Ａによって幅方向Ｗに引っ張られて伸び、着用者と使い捨ておむつ１０との間に隙間が生じてしまう可能性があるという問題点を解決することができる。
【００８９】
また、本実施形態に係る使い捨ておむつ１０の平面視において、腰周り伸縮部８５及び一対のレッグ伸縮部７５が重ならないように構成されているため、使い捨ておむつ１０の装着後に、着用者の脚の動きに追随して腰周り伸縮部８５が長手方向Ｌの内側に引っ張られてしまい着用者の腰周りにしっかりとフィットしないという事態を回避することができる。
【００９０】
また、本実施形態に係る使い捨ておむつ１０の平面視において、腰周り伸縮部８５及び一対のレッグサイド伸縮部８０が重なるように構成されているため、使い捨ておむつ１０が胴周り伸縮部８５に向かって引き上げられ、着用者の身体と使い捨ておむつ１０とが離れてしまうという事態を抑止することができる。
【００９１】
また、本実施形態に係る使い捨ておむつ１０の平面視において、腰周り伸縮部８５及び吸収体４０（或いは、吸収コア４０ａ）が重なるように構成されており、腰周り伸縮部８５と重なっている領域における吸収体４０（或いは、吸収コア４０ａ）の厚さが、他の領域における吸収体４０（或いは、吸収コア４０ａ）の厚さよりも薄くなるように構成されているため、吸収体４０（或いは、吸収コア４０ａ）が、腰周り伸縮部８５によって押さえ付けられて着用者とのフィット性を向上することができる。
【００９２】
また、本実施形態に係る使い捨ておむつ１０では、吸収体４０（或いは、吸収コア４０ａ）が、フックシート９２の長手方向Ｌの内側の端部９２Ｅ１よりも長手方向Ｌの内側に配置されているため、ファスニングテープ９０を幅方向Ｗの外側に引っ張った場合に生じる力の領域Ｂに対する影響を、より確実に低減することができる。
【００９３】
また、本実施形態に係る使い捨ておむつ１０では、腰周り伸縮部８５の長手方向Ｌの内側の端部８５Ｅ１が、フックシート９２の長手方向Ｌの内側の端部９２ｅ１よりも長手方向Ｌの内側に配置されており、腰周り伸縮部８５の長手方向Ｌの外側の端部８５Ｅ２が、フックシート９２の長手方向Ｌの外側の端部９２Ｅ２よりも長手方向Ｌの外側に配置されているため、ファスニングテープ９０を幅方向Ｗの外側に引っ張った場合に生じる力が胴周り伸縮部８５に効率的に影響することができ、胴周り伸縮部８５の着用者に対するフィット性を向上させることができる。
【００９４】
さらに、本実施形態に係る使い捨ておむつ１０では、一対のレッグ伸縮部７５が、後胴周り域３０に向かうに連れて幅方向Ｗの外側に広がるように構成されているため、使い捨ておむつ１０の装着後において、胴周り伸縮部８５が長手方向Ｌに引っ張られる力を幅方向Ｗの外側に分散させることができる。
【００９５】
一般的に、着用者の身体は、装着時に、吸収コア４０ａの全幅を覆うように載せられる。よって、ファスニングテープ９０を引っ張る際は、着用者の身体よりも幅方向Ｗの外側に位置する部分、すなわち、吸収コア４０ａよりも幅方向Ｗの外側の領域が引っ張られる。
【００９６】
例えば、ファスニングテープ９０を引っ張る部分が伸び難いと、装着補助者は、どの程度ファスニングテープ９０を伸ばしてよいかを把握できず、正しい位置に止着できないことがある。
【００９７】
しかし、吸収コア４０ａよりも幅方向Ｗの外側には、比較的伸長率の高い第１領域８５１が配置されているため、装着補助者は、第１領域８５１を伸ばしてファスニングテープ９０を止着する。装着補助者は、第１領域８５１を伸ばし易いため、第１領域８５１が伸長可能な範囲を容易に把握できる。よって、装着補助者は、ファスニングテープ９０を伸ばす範囲を把握して、正しい位置にファスニングテープ９０を止着することができる。
【００９８】
また、ファスニングテープ90を止着する際に、第１領域８５１は、着用者の脇の腰骨に当たる位置に配置されている。一方、ファスニングテープ９０を止着する際に、第２領域８５２及び第３領域８５３は、着用者の体圧がかかり、伸縮し難い状態である。
【００９９】
しかし、使い捨ておむつ１０を着用者に装着した後であって、例えば、着用者が起こされた状態では、使い捨ておむつ１０の後胴周り域３０に掛かる体圧が低減される。後胴周り域３０に掛かる着用者の体圧が低減すると、図４（ｂ）に示すように、第１領域８５１、第２領域８５２及び第３領域８５３が連動し、第１領域８５１を基点として第２領域８５２と第３領域８５３とがそれぞれ伸縮する。
【０１００】
具体的には、第１領域８５１は、第２領域８５２及び第３領域８５３と比較して、ファスニングテープ９０の装着時に既に伸長されている。この状態で、第２領域８５２及び第３領域８５３がそれぞれ伸縮すると、第１領域８５１を基点として比較的伸長率が低い第２領域８５２が第１領域８５１側に引っ張られるとともに、比較的伸長率が高い第３領域８５３が第２領域８５２を幅方向Ｗの内側に引っ張り、第２領域８５２が伸長する。
【０１０１】
このとき、第１領域８５１は、ファスニングテープ９０寄りに位置するため、ファスニングテープ９０をターゲット部９５に止着するときに伸びる。その際、第２領域８５２よりも幅方向Ｗの内側により伸び難い第３領域８５３があることで、第１領域８５１及び第３領域８５３に挟まれる位置にある第２領域８５２は、幅方向Ｗに均等に伸び易く、結果、第２領域８５２は、弱い力で赤ちゃんの体を締め付けないようにしながらも均等に体に対してフィットできるようになる。
【０１０２】
このように使い捨ておむつ１０が着用者の身体にフィットすることにより、着用者の脇の腰骨には、第１領域８５１によって強めにフィットする。また、着用者の脇の腰骨よりも背側は、腰骨が少なく、比較的着用者の身体が柔らかい。かかる腰骨が少ない部分には、第２領域８５２によって弱めにフィットする。着用者の身体が比較的硬い部位に強めにフィットし、着用者の身体が比較的柔らかい部位に弱めにフィットするため、着用者の身体に無理なくフィットし、腰周りのフィット性を高めることができる。つまり、本来母親（介助者）が願う「赤ちゃんをおむつで締め付けたくない」ということ、及び、使い捨ておむつ１０と着用者の身体との間のすき間を作らず排泄物を漏らさないためには、フィット性を上げる（締め付けを強くする）方がよいということといった互いに２律背反することを本発明の構成とすることにより達成している。
【０１０３】
第３領域８５３は、使い捨ておむつ１０の幅方向Ｗの中心を跨いで配置される。着用者の背中の中心は、背骨が配置され、左右の部位よりも腹側に凹んでいる。かかる凹む部位（ミカエルの菱形）は、仙骨部分の凹みであり、かかる凹む部位に第３領域８５３が配置される。図４（ａ）において、かかる凹む部位を「ＣＲ」で示す。
【０１０４】
使い捨ておむつ１０を装着した後、体圧が低減した際に、第３領域８５３は、第２領域８５２を引っ張りつつ収縮する。かかる収縮した部分を着用者の凹んだ部位に配置できる。よって、着用者の背中の中心と使い捨ておむつ１０との間に隙間が生じることを抑制し、腰周り全体に対して使い捨ておむつ１０をフィットさせることができる。
【０１０５】
加えて、吸収コア４０ａの後端縁の前後では、吸収コア４０ａの厚み差が生じているため、本来、着用者の身体と使い捨ておむつ１０との間に隙間のでき易い。しかし、腰周り伸縮部８５の後端縁が、吸収コア４０ａの後端縁を超えてウエスト側に伸びており、また、第３領域８５３の伸長率が比較的高いため、背側の凹む部位からの漏れをより確実に防ぐことができる。
【０１０６】
吸収コア４０ａは、使い捨ておむつ１０を構成する他の部材（トップシート５０）よりも比較的剛性が高いため、着用者の身体に沿って配置され難い。しかし、腰周り伸縮部８５の少なくとも一部が吸収コア４０ａに重なり、かつ、吸収コア４０ａの非肌対向面側に腰周り伸縮部８５が配置されているため、腰周り伸縮部８５の収縮によって吸収コア４０ａを着用者の身体にフィットさせることができる。
【０１０７】
吸収コア４０ａの幅方向Ｗ全域に第３領域８５３が配置されると、第３領域８５３の収縮によって自然状態において吸収コア４０ａの幅が短くなり過ぎることがある。結果、ファスニングテープ９０の止着時に使い捨ておむつ１０の幅を確保できず、装着補助者がファスニングテープ９０を掴み難くなり、装着性が悪化するおそれがある。
【０１０８】
しかし、第２領域８５２が吸収コア４０ａの外側縁よりも幅方向Ｗの内側に位置することにより、吸収コア４０ａの幅方向Ｗ全域内に第２領域８５２及び第３領域８５３が配置される。よって、自然状態において吸収コア４０ａの幅が短くなり過ぎず、装着性が悪化することを抑制できる。
【０１０９】
第１領域８５１の内側縁は、吸収コア４０ａの外側縁よりも幅方向Ｗの内側に位置する。ファスニングテープ９０を引っ張って装着する際に、装着補助者は、第１領域８５１を伸ばしてファスニングテープ９０を止着する。また、第１領域８５１を伸ばしてファスニングテープ９０を止着する際に、吸収コア４０ａは、着用者の身体の下に配置されており、体圧がかかっている。第１領域８５１の内側縁が吸収コア４０ａの外側縁よりも幅方向Ｗの内側に配置されているため、吸収コア４０ａの内側縁は、ファスニングテープ９０を引っ張って装着する際に、着用者の身体の下で移動し難い状態である。よって、第１領域８５１の内側縁が、吸収コア４０ａの外側縁よりも幅方向Ｗの内側に位置すると、ファスニングテープ９０を引っ張った際に、第１領域８５１の内側縁が基点となって第１領域８５１を伸ばし易くなる。
【０１１０】
腰周り伸縮部８５と吸収コア４０ａとを接着する接着剤は、長手方向Ｌに連続して複数列に配置されかつ各列が幅方向Ｗに重なって配置されていてもよい。かかる構成によれば、腰周り伸縮部８５と吸収コア４０ａとを長手方向Ｌ及び幅方向Ｗにおいて連続して接着でき、腰周り伸縮部８５が吸収コア４０ａから浮き上がることを防止できる。
【０１１１】
第３領域８５３の幅方向Ｗの伸長率は、第１領域８５１の幅方向Ｗの伸長率よりも高く構成されていてもよい。かかる構成によれば、第３領域８５３の伸長率が第１領域８５１の伸長率よりも高いことにより、ファスニングテープ９０を止着した後であって、後胴周り域３０に掛かる体圧が低減された状態で、第３領域８５３側に第２領域８５２が引っ張られる。よって、着用者の背中の凹みに、第３領域８５３によって収縮した部分を集めることができる。
【０１１２】
第３領域８５３は、使い捨ておむつ１０の平面視において低目付領域１１０の少なくとも一部と重なる。かかる構成によれば、第３領域８５３によって低目付領域１１０を幅方向Ｗに収縮し、吸収コア４０ａの後端縁が幅方向Ｗの中心側に変形する。よって、吸収コア４０ａの後部をカップ形状に形成できる。かかるカップ形状の吸収コア４０ａによって、着用者の臀部を覆うことができ、腰周りのフィット性を更に高めることができる。
【０１１３】
吸収コア４０ａの後端縁及びコアラップ４０ｂの後端縁は、略一致しており、腰周り伸縮部８５は、吸収コア４０ａの後端縁及びコアラップ４０ｂの後端縁よりも後側に延出する。例えば、コアラップ４０ｂが吸収コア４０ａよりも後方に延出していると、コアラップ４０ｂによって腰周り伸縮部８５の伸縮性が阻害されるおそれがある。しかし、吸収コア４０ａの後端縁及びコアラップ４０ｂの後端縁よりも後方に腰周り伸縮部８５が延出しているため、吸収コア４０ａの後端縁及びコアラップ４０ｂの後端縁よりも後方において、コアラップ４０ｂ等が腰周り伸縮部８５の伸縮を阻害しない。
【０１１４】
また、使い捨ておむつ１０の後端縁には、腰周り伸縮部８５が配置されてなく、かつ、使い捨ておむつ１０の後端縁のサイドフラップ７０には、幅方向Ｗの内側及び長手方向Ｌの内側に凹む切欠きが形成されている。
【０１１５】
より詳細には、サイドフラップ７０の後端縁は、サイドフラップ７０の外側縁から幅方向Ｗの内側に延びる一定範囲において、長手方向Ｌの内側に凹んでいる。換言すると、サイドフラップ７０の外側縁は、サイドフラップ７０の後端縁から長手方向Ｌの内側に延びる一定範囲において、幅方向Ｗの内側に凹んでいる。
【０１１６】
このように、使い捨ておむつ１０の後端縁が構成されていることにより、使い捨ておむつ１０の後端縁におけるめくれを抑制することができ、着用者の腰周りをより確実に覆うことができる。
【０１１７】
上述したように、本発明の実施形態を通じて本発明の内容を開示したが、この開示の一部をなす論述及び図面は、本発明を限定するものであると理解すべきではない。この開示から当業者には様々な代替実施の形態、実施例及び運用技術が明らかとなる。したがって、本発明の技術的範囲は、上述の説明から妥当な特許請求の範囲に係る発明特定事項によってのみ定められるものである。
【符号の説明】
【０１１８】
１０…使い捨ておむつ
２０…前胴周り域
２５…股下域
３０…後胴周り域
３５…脚周り開口部
４０…吸収体
４０ａ…吸収コア
４０ｂ…被覆シート
５０…トップシート
６０…外装シート
６０ａ…バックシート
７０…サイドフラップ
７５…レッグ伸縮部
８０…レッグサイド伸縮部
８５…腰周り伸縮部
８５１…第１領域
８５２…第２領域
８５３…第３領域
９０…ファスニングテープ
１１０…低目付領域
１１５…第１切欠き
１２５…第２切欠き
２００…クロッチ伸縮部
Ｌ…長手方向
Ｗ…幅方向
【要約】
【課題】着用者の腰周りのフィット性を高めることができるテープタイプの使い捨ておむつを提供する。
【解決手段】本発明に係る使い捨ておむつ１０において、使い捨ておむつ１０の平面視で、一対のファスニングテープ９０の長手方向Ｌの中心線Ｏは、腰周り伸縮部８５と重なり、吸収体４０と重ならないように構成されており、腰周り伸縮部８５の幅方向Ｗの長さＷ１は、吸収体４０の幅方向Ｗの長さＷ２よりも長くなるように構成されており、腰周り伸縮部８５において吸収体４０のよりも幅方向Ｗの外側に位置する領域Ａの伸長率は、腰周り伸縮部８５において吸収体４０よりも幅方向Ｗの内側に位置する領域Ｂの伸長率と異なるように構成されている。
【選択図】図１【図１】
0005956003.tif 000002
【図２】
0005956003.tif 000003
【図３】
0005956003.tif 000004
【図４】
0005956003.tif 000005